(57)【特許請求の範囲】
【請求項１】
ユーザ装置（ＵＥ）によるワイヤレス通信のための方法であって、
少なくとも１つの無線フレーム内で、複数のサブフレームにわたってバンドリングされた送信のために利用不可能な１つまたは複数のサブフレームを識別することと、ここにおいて、
前記識別することは、利用不可能なサブフレームを少なくとも第１のグループおよび第２のグループに分類することを備え、ここにおいて、
前記第１のグループは、前記ナローバンド領域を使用して通信するいずれのＵＥに対するバンドリングされた送信のためにも利用可能でないと決定されたサブフレームを備え、
前記第２のグループは、１つまたは複数の特定のＵＥに対するバンドリングされた送信のために利用可能でないと決定されたサブフレームを備える、
複数のサブフレームにわたってバンドリングされた送信を使用して、より広いシステム帯域幅内の少なくとも１つのナローバンド領域を介して通信することと、ここにおいて、前記通信することは、
前記第２のグループの１つまたは複数の利用不可能なサブフレーム上で生じるであろうバンドリングされた送信をスキップする、または、
バンドリングされた送信を、それらが前記第１のグループの１つまたは複数の利用不可能なサブフレーム上で生じるようにスケジュールされている場合、延期し、および前記延期されたバンドリングされた送信を、１つまたは複数の後に生じるサブフレームにスケジュールする、
ように調整される、
を備える、方法。
【請求項２】
前記識別は、動的にスケジュールされたサブフレーム構成に少なくとも部分的に基づく、請求項１に記載の方法。
【請求項３】
バンドリングされたアップリンク送信のためのサブフレームの利用可能性またはバンドリングされたダウンリンク送信のためのサブフレームの利用可能性のうちの少なくとも１つを示すシグナリングを受信することをさらに備える、請求項２に記載の方法。
【請求項４】
前記シグナリングは、１つまたは複数のビットマップによって提供される、請求項３に記載の方法。
【請求項５】
前記シグナリングは、
バンドリングされたダウンリンク送信のためのサブフレームの利用可能性を決定するための第１のサブフレーム構成、および、
バンドリングされたアップリンク送信のためのサブフレームの利用可能性を決定するための第２のサブフレーム構成、
によって提供される、請求項３に記載の方法。
【請求項６】
前記ＵＥがカバレッジエンハンスメント（ＣＥ）モードにあるか否かを決定することと、
前記決定に基づいて、後続のサブフレームを使用して送信することと、
をさらに備える、請求項５に記載の方法。
【請求項７】
後続のサブフレームがアップリンク送信のために利用可能であることを示すグラントを受信することと、
少なくとも現在の無線フレームについて、前記後続のサブフレーム、および前記第２のサブフレーム構成に基づいて利用可能であると示されたサブフレームを使用して送信することと、
をさらに備える、請求項５に記載の方法。
【請求項８】
前記識別は、バンドリングされた送信の対象となるチャネルのタイプに少なくとも部分的に基づく、請求項１に記載の方法。
【請求項９】
前記識別は、１つまたは複数のチャネルタイプの第１のセットのための第１の基準サブフレーム構成に基づき、
前記識別は、１つまたは複数のチャネルタイプの第２のセットのための第２の基準サブフレーム構成に基づく、
請求項８に記載の方法。
【請求項１０】
前記ＵＥは、前記ナローバンド領域を介して通信しないＵＥとは異なる周期性でサブフレーム構成に関するシステム情報（ＳＩ）更新を受信する、請求項１に記載の方法。
【請求項１１】
ワイヤレス通信のための装置であって、
少なくとも１つの無線フレーム内で、複数のサブフレームにわたってバンドリングされた送信のために利用不可能な１つまたは複数のサブフレームを識別するように構成される少なくとも１つのプロセッサと、ここにおいて、
前記識別することは、利用不可能なサブフレームを少なくとも第１のグループおよび第２のグループに分類することを備え、ここにおいて、
前記第１のグループは、前記ナローバンド領域を使用して通信するいずれのＵＥに対するバンドリングされた送信のためにも利用可能でないと決定されたサブフレームを備え、
前記第２のグループは、１つまたは複数の特定のＵＥに対するバンドリングされた送信のために利用可能でないと決定されたサブフレームを備える、
複数のサブフレームにわたってバンドリングされた送信を使用して、より広いシステム帯域幅内の少なくとも１つのナローバンド領域を介して通信するように構成されるインタフェースと、ここにおいて、前記通信することは、
前記第２のグループの１つまたは複数の利用不可能なサブフレーム上で生じるであろうバンドリングされた送信をスキップする、または、
バンドリングされた送信を、それらが前記第１のグループの１つまたは複数の利用不可能なサブフレーム上で生じるようにスケジュールされている場合、延期し、および前記延期されたバンドリングされた送信を、１つまたは複数の後に生じるサブフレームにスケジュールする、
ように調整される、
を備える、装置。
【請求項１２】
前記少なくとも１つのプロセッサは、動的にスケジュールされたサブフレーム構成に少なくとも部分的に基づいて、少なくとも１つの無線フレーム内で、複数のサブフレームにわたってバンドリングされた送信のために利用不可能な１つまたは複数のサブフレームを識別するようにさらに構成される、請求項１１に記載の装置。
【請求項１３】
前記インタフェースは、バンドリングされたアップリンク送信のためのサブフレームの利用可能性またはバンドリングされたダウンリンク送信のためのサブフレームの利用可能性のうちの少なくとも１つを示すシグナリングを受信するようにさらに構成される、請求項１２に記載の装置。
【請求項１４】
前記少なくとも１つのプロセッサは、バンドリングされた送信の対象となるチャネルのタイプに少なくとも部分的に基づいて、少なくとも１つの無線フレーム内で、複数のサブフレームにわたってバンドリングされた送信のために利用不可能な１つまたは複数のサブフレームを識別するようにさらに構成される、請求項１１に記載の装置。
【請求項１５】
コンピュータによって実行されると、前記コンピュータに、請求項１ないし１０のいずれかに記載の方法を行わせる命令を備えるコンピュータプログラム。
【発明の詳細な説明】
【技術分野】
【０００１】
［米国特許法第１１９条に基づく優先権の主張］
[0001]  本願は、２０１６年６月８日に出願された米国出願第１５／１７７，００６号に対する優先権を主張し、それは、２０１５年７月１６日に出願された米国仮特許出願番号第６２／１９３，５７９号（代理人整理番号１５４７７３ＵＳＬ）、２０１５年１０月２１日に出願された６２／２４４，６４１（代理人整理番号１５４７７３ＵＳＬ０２）、および２０１６年２月５日に出願された６２／２９２，２０４（代理人整理番号１５４７７３ＵＳＬ０３）の利益を主張し、それらの各々は、本願の譲受人に譲渡され、およびこれによって、参照によりここに明示的に組み込まれる。
Ｉ．発明の分野
[0002]  本開示のある特定の態様は、一般にワイヤレス通信に関し、より具体的には、マシンタイプ通信（ＭＴＣ）デバイスおよびエンハンストＭＴＣ（ｅＭＴＣ）デバイスのような限定された（limited）通信リソースを有するデバイスを利用するシステムに関する。
【背景技術】
【０００２】
ＩＩ．関連技術の説明
[0003]  ワイヤレス通信システムは、音声、データ等のような様々なタイプの通信コンテンツを提供するために広く展開されている。これらのシステムは、利用可能なシステムリソース（例えば、帯域幅および送信電力）を共有することによって複数のユーザとの通信をサポートすることができる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、ＬＴＥ（登録商標）アドバンストシステムを含む第３世代パートナーシッププロジェクト（３ＧＰＰ（登録商標））ロングタームエボリューション（ＬＴＥ）、および直交周波数分割多元接続（ＯＦＤＭＡ）システムを含む。
【０００３】
[0004]  一般に、ワイヤレス多元接続通信システムは、複数のワイヤレス端末ための通信を同時にサポートすることができる。各端末は、フォワードおよびリバースリンク上での送信を介して１つまたは複数の基地局と通信する。フォワードリンク（またはダウンリンク）は基地局から端末への通信リンクを差し、リバースリンク（またはアップリンク）は、端末から基地局への通信リンクを指す。この通信リンクは、単一入力単一出力、多入力単一出力、または多入力多出力（ＭＩＭＯ）システムを介して確立され得る。
【０００４】
[0005]  ワイヤレス通信ネットワークは、いくつかのワイヤレスデバイスのための通信をサポートすることができるいくつかの基地局を含み得る。ワイヤレスデバイスは、ユーザ装置（ＵＥ）を含み得る。ＵＥのいくつかの例は、セルラフォン、スマートフォン、携帯情報端末（ＰＤＡ）、ワイヤレスモデム、ハンドヘルドデバイス、ナビゲーションデバイス、ゲーミングデバイス、カメラ、タブレット、ラップトップコンピュータ、ネットブック、スマートブック、ウルトラブック等を含み得る。いくつかのＵＥは、マシンタイプ通信（ＭＴＣ）ＵＥと考えられ得、それは基地局、別のリモートデバイス、または何らかの他のエンティティと通信し得るセンサ、メータ、モニタ、位置タグ（location tags）、ドローン、トラッカ、ロボット等のようなリモートデバイスを含み得る。マシンタイプ通信（ＭＴＣ）は、通信の少なくとも１つのエンドにおける少なくとも１つのリモートデバイスに関わる（involving）通信を指し得、および必ずしも人的相互作用（human interaction）を必要としない１つまたは複数のエンティティに関わるデータ通信の形態を含み得る。ＭＴＣ  ＵＥは、例えば、パブリックランドモバイルネットワーク（ＰＬＭＮ）を通して、ＭＴＣサーバおよび／または他のＭＴＣデバイスとＭＴＣ通信することができるＵＥを含み得る。
【０００５】
[0006]  ＭＴＣデバイスのようなある特定のデバイスのカバレッジを強化（enhance）するために「バンドリング」が利用され得、そこにおいては、ある特定の送信が例えば複数のサブフレーム上で送信される同じ情報を有する送信の束（a bundle of transmissions）として送られる。
【発明の概要】
【０００６】
[0007]  本開示のシステム、方法、およびデバイスは、各々いくつかの態様を有し、それらのうちのいずれも、それの望ましい特質を単独で担うものではない。以下の特許請求の範囲によって表される本開示の範囲を限定することなく、いくつかの特徴がこれより簡潔に説明される。この説明を検討した後には、および特に「詳細な説明」と題されたセクションを読んだ後には、本開示の特徴が、ワイヤレスネットワークにおけるアクセスポイントと局との間の改善された通信を含む利点をどのように提供するかが、理解されるであろう。
【０００７】
[0008]  本開示のある特定の態様は、ユーザ装置（ＵＥ）によるワイヤレス通信のための方法を提供する。方法は、一般に、少なくとも１つの無線フレーム内で、複数のサブフレームにわたってバンドリングされた送信のために利用不可能な１つまたは複数のサブフレームを識別することと、識別に基づいて、複数のサブフレームにわたってバンドリングされた送信を使用して、より広いシステム帯域幅内の少なくとも１つのナローバンド領域（narrowband region）を介して通信することとを含む。
【０００８】
[0009]  本開示のある特定の態様は、ユーザ装置（ＵＥ）によるワイヤレス通信のための方法を提供する。方法は、一般に、有効なダウンリンク受信（valid downlink reception）のためのサブフレームの第１のセットを決定することと、サブフレームの第２のセットを決定することと、少なくともサブフレームの第１のセットおよびサブフレームの第２のセットに基づいて、有効なダウンリンク受信のためのサブフレームの第３のセットを決定することと、有効なダウンリンク受信のためのサブフレームの第３のセットにおいてダウンリンクチャネルを受信することと、を含む。一部のケースでは、有効なダウンリンク受信のためのサブフレームの第３のセットを決定することは、有効なダウンリンク受信のためのサブフレームの第１のセットに含まれかつサブフレームの第２のセットに含まれないサブフレームを決定することを備える。そのような決定の詳細は、以下で説明される。
【０００９】
[0010]  本開示のある特定の態様は、ユーザ装置（ＵＥ）によるワイヤレス通信のための方法を提供する。方法は、一般に、通信リンクの複信モード（duplexing mode）を決定することと、決定された複信モードについてのシステム情報を受信することと、少なくとも受信されたシステム情報に基づいて、アップリンクおよびダウンリンク送信のために利用可能なサブフレームを識別することと、を含む。
【００１０】
[0011]  方法、装置、システム、コンピュータプログラム製品、および処理システムを含む非常に多くの他の態様が提供される。
【図面の簡単な説明】
【００１１】
[0012]  本開示の上述の特徴が詳細に理解されることができるように、上記で簡潔に要約された内容について、複数の態様を参照することによってより細かな説明がされ得、そのうちのいくつかは、添付の図面に例示される。しかしながら、添付の図面は、単に本開示のある特定の典型的な態様を例示しているだけであり、よってこの説明は他の同等に効果的な態様を認め得るので、その範囲を限定するように考えられるべきではないことに留意されたい。
【図１】[0013]  図１は、本開示のある特定の態様に従って、例示的なワイヤレス通信ネットワークを概念的に例示するブロック図である。
【図２】[0014]  図２は、本開示のある特定の態様に従って、ワイヤレス通信ネットワークにおいてユーザ装置（ＵＥ）と通信している発展型ノードＢ（ｅＮＢ）の例を概念的に例示するブロック図である。
【図３】[0015]  図３は、本開示のある特定の態様に従って、ワイヤレス通信ネットワークで使用するための特定の無線アクセス技術（ＲＡＴ）のための例示的なフレーム構造を概念的に例示するブロック図である。
【図４】[0016]  図４は、本開示のある特定の態様に従って、通常のサイクリックプリフィックスを伴うダウンリンクのための例示的なサブフレームフォーマットを例示する。
【図５Ａ】[0017]  図５Ａは、本開示のある特定の態様に従って、ＬＴＥのようなワイドバンドシステム内でのＭＴＣ共存（MTC co-existence）の例を例示する。
【図５Ｂ】図５Ｂは、本開示のある特定の態様に従って、ＬＴＥのようなワイドバンドシステム内でのＭＴＣ共存の例を例示する。
【図６】[0018]  図６は、本開示のある特定の態様に従って、ＵＥによって実施され得るワイヤレス通信のための例示的な動作を例示する。
【図７】[0019]  図７は、本開示のある特定の態様に従って、バンドリングされた送信のためのサブフレームの利用可能性を決定するための例示的な技法を例示する。
【図８】図８は、本開示のある特定の態様に従って、バンドリングされた送信のためのサブフレームの利用可能性を決定するための例示的な技法を例示する。
【図９】図９は、本開示のある特定の態様に従って、バンドリングされた送信のためのサブフレームの利用可能性を決定するための例示的な技法を例示する。
【図１０】図１０は、本開示のある特定の態様に従って、バンドリングされた送信のためのサブフレームの利用可能性を決定するための例示的な技法を例示する。
【図１１】図１１は、本開示のある特定の態様に従って、バンドリングされた送信のためのサブフレームの利用可能性を決定するための例示的な技法を例示する。
【図１２】図１２は、本開示のある特定の態様に従って、バンドリングされた送信のためのサブフレームの利用可能性を決定するための例示的な技法を例示する。
【図１３】[0020]  図１３は、本開示のある特定の態様に従って、ＵＥによって実施され得るワイヤレス通信のための例示的な動作を例示する。
【図１４】[0021]  図１４は、本開示のある特定の態様に従って、ワイヤレス通信のための例示的な動作を例示する。
【詳細な説明】
【００１２】
[0022]  本開示の態様は、バンドリングされた送信のためのサブフレームの利用可能性を決定するための技法および装置を提供する。以下でより詳細に説明されることになるように、利用可能性（および利用可能性に基づいてどのように送信するか）は、利用不可能なサブフレーム、基準（および／またはシグナリングされた）サブフレーム構成、およびバンドリングされた送信の対象となるチャネルのタイプといった理由のような、様々な要因に基づいて決定され得る。
【００１３】
[0023]  したがって、以下により詳細に説明されるように、ここに提示される技法は、ＭＴＣデバイスを有するセルのためにバンドリングされたアップリンクおよびダウンリンク送信を可能にし得る。
【００１４】
[0024]  ここに説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク等のような様々なワイヤレス通信ネットワークのために使用され得る。「ネットワーク」および「システム」という用語は、しばしば交換可能に使用される。ＣＤＭＡネットワークは、ユニバーサル地上無線アクセス（ＵＴＲＡ）、ｃｄｍａ２０００等のような無線技術をインプリメントし得る。ＵＴＲＡは、ワイドバンドＣＤＭＡ（Ｗ−ＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５、およびＩＳ−８５６規格をカバーする。ＴＤＭＡネットワークは、移動通信のためのグローバルシステム（ＧＳＭ（登録商標）：Global System for Mobile Communications）のような無線技術をインプリメントし得る。ＯＦＤＭＡネットワークは、発展型ＵＴＲＡ（Ｅ−ＵＴＲＡ）、ウルトラモバイルブロードバンド（ＵＭＢ）、ＩＥＥＥ  ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ（登録商標））等のような無線技術をインプリメントし得る。ＵＴＲＡおよびＥ−ＵＴＲＡは、ユニバーサルモバイル電気通信システム（ＵＭＴＳ）の一部である。周波数分割複信（ＦＤＤ）と時分割複信（ＴＤＤ）との両方において、３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースであり、それはダウンリンク上ではＯＦＤＭＡを用い、アップリンク上ではＳＣ−ＦＤＭＡを用いる。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と名付けられた組織からの文書に説明されている。ｃｄｍａ２０００およびＵＭＢは、「第３世代パートナーシッププロジェクト２」（３ＧＰＰ２）と名付けられた組織からの文書に説明されている。ここに説明される技法は、上述されたワイヤレスネットワークおよび無線技術、ならびに他のワイヤレスネットワークおよび無線技術のために使用され得る。明瞭さのために、技法のある特定の態様は、以下でＬＴＥ／ＬＴＥ−Ａに関して説明されており、ＬＴＥ／ＬＴＥ−Ａ用語が以下の説明の大部分で使用される。ＬＴＥおよびＬＴＥ−Ａは、一般にＬＴＥと称される。
【００１５】
[0025]  図１は、本開示の態様が実施され得る基地局（ＢＳ）およびユーザ装置（ＵＥ）を伴う例示的なワイヤレス通信ネットワーク１００を例示する。
【００１６】
[0026]  例えば、ワイヤレス通信ネットワーク１００におけるある特定のＵＥ（例えば、ＬＣ  ＭＴＣ  ＵＥ、ＬＣ  ｅＭＴＣ  ＵＥ等）のための１つまたは複数のページングプロシージャエンハンスメントがサポートされ得る。ここに提示される技法に従って、ワイヤレス通信ネットワーク１００におけるＢＳおよび（１つまたは複数の）ＬＣ  ＵＥは、ワイヤレス通信ネットワーク１００によってサポートされる利用可能なシステム帯域幅から、ワイヤレス通信ネットワーク１００におけるＢＳから送信されたバンドリングされたページングメッセージについて（１つまたは複数の）ＬＣ  ＵＥがどの（１つまたは複数の）ナローバンド領域をモニタするべきか決定することが可能であり得る。また、ここに提示される技法に従って、ワイヤレス通信ネットワーク１００におけるＢＳおよび／または（１つまたは複数の）ＬＣ  ＵＥは、ワイヤレス通信ネットワーク１００における１つまたは複数のトリガに基づいて、ページングメッセージのためのバンドリングサイズを決定するおよび／または適応させる（adapt）ことが可能であり得る。
【００１７】
[0027]  ワイヤレス通信ネットワーク１００は、ＬＴＥネットワークまたは何らかの他のワイヤレスネットワークであり得る。ワイヤレス通信ネットワーク１００は、いくつかの発展型ノードＢ（ｅＮＢ）１１０および他の複数のネットワークエンティティを含み得る。ｅＮＢは、ユーザ装置（ＵＥ）と通信するエンティティであり、そしてそれはまた、基地局、ノードＢ、アクセスポイント（ＡＰ）等とも呼ばれ得る。各ｅＮＢは、特定の地理的エリアに対して通信カバレッジを提供し得る。３ＧＰＰでは、「セル」という用語は、その用語が使用されるコンテキストに応じて、ｅＮＢのカバレッジエリア、および／またはこのカバレッジエリアにサービス提供するｅＮＢサブシステムを指すことができる。
【００１８】
[0028]  ｅＮＢは、マクロセル、ピコセル、フェムトセル、および／または他のタイプのセルに対して通信カバレッジを提供し得る。マクロセルは、比較的広い地理的エリア（例えば、半径数キロメートル）をカバーし得、サービス加入しているＵＥによる無制限のアクセスを可能にし得る。ピコセルは、比較的狭い地理的エリアをカバーし得、サービス加入しているＵＥによる無制限のアクセスを可能にし得る。フェムトセルは、比較的狭い地理的エリア（例えば、住宅）をカバーし得、フェムトセルと関連のあるＵＥ（例えば、クローズド加入者グループ（ＣＳＧ）内のＵＥ）による制限付きのアクセスを可能にし得る。マクロセルのためのｅＮＢはマクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨｅＮＢ）と呼ばれ得る。図１に示される例では、ｅＮＢ１１０ａは、マクロセル１０２ａのためのマクロｅＮＢであり得、ｅＮＢ１１０ｂは、ピコセル１０２ｂのためのピコｅＮＢであり得、およびｅＮＢ１１０ｃは、フェムトセル１０２ｃのためのフェムトｅＮＢであり得る。ｅＮＢは、１つのまたは複数の（例えば、３つの）セルをサポートし得る。「ｅＮＢ」、「基地局」、および「セル」という用語は、ここで置換え可能に使用され得る。
【００１９】
[0029]  ワイヤレス通信ネットワーク１００はまた、中継局を含み得る。中継局は、アップストリーム局（例えば、ｅＮＢまたはＵＥ）からデータの送信を受信し、このデータの送信をダウンストリーム局（例えば、ＵＥまたはｅＮＢ）に送ることができるエンティティである。中継局はまた、他のＵＥに対する送信を中継することができるＵＥであり得る。図１に示される例では、中継器（局）ｅＮＢ１１０ｄは、ｅＮＢ１１０ａとＵＥ１２０ｄとの間の通信を容易にするために、マクロｅＮＢ１１０ａおよびＵＥ１２０ｄと通信し得る。中継局はまた、中継ｅＮＢ、中継基地局、中継器等とも呼ばれ得る。
【００２０】
[0030]  ワイヤレス通信ネットワーク１００は、異なるタイプのｅＮＢ、例えば、マクロｅＮＢ、ピコｅＮＢ、フェムトｅＮＢ、中継ｅＮＢ等を含む異機種のネットワークであり得る。これらの異なるタイプのｅＮＢは、ワイヤレス通信ネットワーク１００において、異なる送信電力レベル、異なるカバレッジエリア、および干渉に対する異なる影響を有し得る。例えば、マクロｅＮＢは、高い送信電力レベル（例えば、５〜４０Ｗ）を有し得るのに対して、ピコｅＮＢ、フェムトｅＮＢ、および中継ｅＮＢは、より低い送信電力レベル（例えば、０．１〜２Ｗ）を有し得る。
【００２１】
[0031]  ネットワークコントローラ１３０は、ｅＮＢのセットに接続し得、およびこれらのｅＮＢに協調（coordination）および制御を提供し得る。ネットワークコントローラ１３０は、バックホールを介してｅＮＢと通信し得る。ｅＮＢはまた、例えばワイヤレスまたはワイヤードバックホールを介して間接的に、または直接的に、互いに通信し得る。
【００２２】
[0032]  ＵＥ１２０（例えば、１２０ａ、１２０ｂ、１２０ｃ）は、ワイヤレス通信ネットワーク１００全体に分散され得、各ＵＥは、固定式またはモバイルであり得る。ＵＥはまた、アクセス端末、端末、モバイル局（ＭＳ）、加入者ユニット、局（ＳＴＡ）等とも呼ばれ得る。ＵＥは、セルラフォン、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、スマートフォン、ネットブック、スマートブック、ウルトラブック等であり得る。
【００２３】
[0033]  ワイヤレス通信ネットワーク１００（例えば、ＬＴＥネットワーク）における１つまたは複数のＵＥ１２０はまた、例えば、ＬＣ  ＭＴＣ  ＵＥ、ＬＣ  ｅＭＴＣ  ＵＥ等のような低コスト（ＬＣ）、低データレートデバイスであり得る。ＬＣ  ＵＥは、ＬＴＥネットワークにおいてレガシーおよび／またはアドバンストＵＥと共存し得、そしてワイヤレスネットワークにおける他のＵＥ（例えば、非ＬＣ  ＵＥ）に比べて限定された１つまたは複数の能力を有し得る。例えば、ＬＴＥネットワークにおけるレガシーおよび／またはアドバンストＵＥに比べて、ＬＣ  ＵＥは、（レガシーＵＥと比較して）最大帯域幅の低減、単一の受信無線周波数（ＲＦ）チェーン、ピークレートの低減、送信電力の低減、ランク１送信、半二重通信（half duplex operation）等のうちの１つまたは複数を伴って動作し得る。ここで使用される場合、ＭＴＣデバイス、ｅＭＴＣデバイス等のような限定された通信リソースを伴うデバイスは、一般にＬＣ  ＵＥと呼ばれる。同様に、（例えば、ＬＴＥにおける）レガシーおよび／またはアドバンストＵＥのようなレガシーデバイスは、一般に非ＬＣ  ＵＥと呼ばれる。
【００２４】
[0034]  図２は、それぞれ図１におけるＢＳ／ｅＮＢ１１０のうちの１つ、およびＵＥ１２０のうちの１つであり得るＢＳ／ｅＮＢ１１０およびＵＥ１２０の設計のブロック図である。ＢＳ１１０は、Ｔ個のアンテナ２３４ａ〜２３４ｔを装備し得、およびＵＥ１２０は、Ｒ個のアンテナ２５２ａ〜２５２ｒを装備し得、ここで一般に、Ｔ≧１およびＲ≧１である。
【００２５】
[0035]  ＢＳ１１０において、送信プロセッサ２２０は、１つまたは複数のＵＥのためのデータをデータソース２１２から受け取り、ＵＥから受信されたチャネル品質インジケータ（ＣＱＩ）に基づいて、各ＵＥのための１つまたは複数の変調およびコーディングスキーム（ＭＣＳ）を選択し、ＵＥのために選択された（１つまたは複数の）ＭＣＳに基づいて、各ＵＥのためのデータを処理（例えば、符号化および変調）し、そしてすべてのＵＥのためのデータシンボルを提供し得る。送信プロセッサ２２０はまた、システム情報（例えば、半静的なリソース区分情報（ＳＲＰＩ：semi-static resource partitioning information）等）、および制御情報（例えば、ＣＱＩ要求、グラント、上位レイヤシグナリング等）を処理し、オーバヘッドシンボルおよび制御シンボルを提供し得る。プロセッサ２２０はまた、同期信号（例えば、プライマリ同期信号（ＰＳＳ）およびセカンダリ同期信号（ＳＳＳ））および基準信号（例えば、共通基準信号（ＣＲＳ））のための基準シンボルを生成し得る。送信（ＴＸ）多入力多出力（ＭＩＭＯ）プロセッサ２３０は、該当する場合、データシンボル、制御シンボル、オーバヘッドシンボル、および／または基準シンボル対して空間処理（例えば、プリコーディング）を実施し得、Ｔ個の変調器（ＭＯＤ）２３２ａ〜２３２ｔにＴ個の出力シンボルストリームを提供し得る。各ＭＯＤ２３２は、それぞれの出力シンボルストリーム（例えば、ＯＦＤＭ等に関する）を処理して、出力サンプルストリームを取得し得る。各ＭＯＤ２３２は、出力サンプルストリームをさらに処理（例えば、アナログへ変換、増幅、フィルタ、およびアップコンバート）して、ダウンリンク信号を取得し得る。変調器２３２ａ〜２３２ｔからのＴ個のダウンリンク信号は、それぞれＴ個のアンテナ２３４ａ〜２３４ｔを介して送信され得る。
【００２６】
[0036]  ＵＥ１２０において、アンテナ２５２ａ〜２５２ｒは、ＢＳ１１０および／または他のＢＳからダウンリンク信号を受信し得、受信された信号を復調器（ＤＥＭＯＤ）２５４ａ〜２５４ｒにそれぞれ提供し得る。各ＤＥＭＯＤ２５４は、それの受信された信号を調整（例えば、フィルタ、増幅、ダウンコンバート、およびデジタル化）して、入力サンプルを取得し得る。各ＤＥＭＯＤ２５４は入力サンプル（例えば、ＯＦＤＭ等に関する）をさらに処理して、受信されたシンボルを取得し得る。ＭＩＭＯ検出器２５６は、Ｒ個の復調器２５４ａ〜２５４ｒのすべてから、受信されたシンボルを取得し、該当する場合、受信されたシンボルに対してＭＩＭＯ検出を実施し、検出されたシンボルを提供し得る。受信プロセッサ２５８は、検出されたシンボルを処理（例えば、復調および復号）し、ＵＥ１２０のための復号されたデータをデータシンク２６０に提供し、復号された制御情報およびシステム情報をコントローラ／プロセッサ２８０に提供し得る。チャネルプロセッサは、基準信号受信電力（ＲＳＲＰ：reference signal received power）、受信信号強度インジケータ（ＲＳＳＩ：received signal strength indicator）、基準信号受信品質（ＲＳＲＱ：reference signal received quality）、ＣＱＩ等を決定し得る。
【００２７】
[0037]  アップリンクでは、ＵＥ１２０において、送信プロセッサ２６４は、コントローラ／プロセッサ２８０からの（例えば、ＲＳＲＰ、ＲＳＳＩ、ＲＳＲＱ、ＣＱＩ等を備える報告についての）制御情報およびデータソース２６２からのデータを受け取り得るおよび処理し得る。プロセッサ２６４はまた、１つまたは複数の基準信号のための基準シンボルを生成し得る。送信プロセッサ２６４からのシンボルは、該当する場合、ＴＸ  ＭＩＭＯプロセッサ２６６によってプリコーディングされ、（例えば、ＳＣ−ＦＤＭ、ＯＦＤＭ等について）ＭＯＤ２５４ａ〜２５４ｒによってさらに処理されて、ＢＳ１１０に送信され得る。ＢＳ１１０において、ＵＥ１２０および他のＵＥからのアップリンク信号は、アンテナ２３４によって受信され、ＤＥＭＯＤ２３２によって処理され、該当する場合、ＭＩＭＯ検出器２３６によって検出され、受信プロセッサ２３８によってさらに処理されて、ＵＥ１２０によって送られた、復号されたデータおよび制御情報が取得され得る。プロセッサ２３８は、復号されたデータをデータシンク２３９に提供し、復号された制御情報をコントローラ／プロセッサ２４０に提供し得る。ＢＳ１１０は、通信ユニット２４４を含み、通信ユニット２４４を介してネットワークコントローラ１３０と通信し得る。ネットワークコントローラ１３０は、通信ユニット２９４、コントローラ／プロセッサ２９０、およびメモリ２９２を含み得る。
【００２８】
[0038]  コントローラ／プロセッサ２４０および２８０は、それぞれＢＳ１１０およびＵＥ１２０における動作を指示し得る。例えば、ＢＳ１１０におけるコントローラ／プロセッサ２４０および／または他のプロセッサおよびモジュールは、図７におよび図１１に例示される動作および／またはここに説明される技法に関する他の処理を実施または指示し得る。同様に、ＵＥ１２０におけるコントローラ／プロセッサ２８０および／または他のプロセッサおよびモジュールは、図８および図１２に例示される動作および／またはここに説明される技法に関する処理を実施または指示し得る。メモリ２４２および２８２は、それぞれＢＳ１１０およびＵＥ１２０のためのデータおよびプログラムコードを記憶し得る。スケジューラ２４６は、ダウンリンクおよび／またはアップリンク上のデータ送信に関してＵＥをスケジュールし得る。
【００２９】
[0039]  図３は、ＬＴＥにおけるＦＤＤのための例示的なフレーム構造３００を示す。ダウンリンクおよびアップリンクの各々についての送信タイムラインは、無線フレームのユニットに区分され得る。各無線フレームは、所定の持続時間（例えば、１０ミリ秒（ｍｓ））を有し得、０〜９のインデックスを有する１０個のサブフレームに区分され得る。各サブフレームは、２つのスロットを含み得る。よって各無線フレームは、０〜１９のインデックスを有する２０個のスロットを含み得る。各スロットは、Ｌ個のシンボル期間、例えば、（図２に示されるように）通常のサイクリックプリフィックスについては７つのシンボル期間、または拡張されたサイクリックプリフィックスについては６つのシンボル期間、を含み得る。各サブフレームにおける２Ｌ個のシンボル期間は、０〜２Ｌ−１のインデックスを割り当てられ得る。
【００３０】
[0040]  ＬＴＥでは、ｅＮＢは、ｅＮＢによってサポートされるセルごとに、システム帯域幅の中心１．０８ＭＨｚにおいて、ダウンリンク上でプライマリ同期信号（ＰＳＳ）およびセカンダリ同期信号（ＳＳＳ）を送信し得る。ＰＳＳおよびＳＳＳは、図３に示されるように、通常のサイクリックプリフィックスを伴う各無線フレームのサブフレーム０および５において、それぞれシンボル期間６および５において送信され得る。ＰＳＳおよびＳＳＳは、セル探索および捕捉（acquisition）のためにＵＥによって使用され得る。ｅＮＢは、ｅＮＢによってサポートされるセルごとに、システム帯域幅にわたってセル固有基準信号（ＣＲＳ）を送信し得る。ＣＲＳは、各サブフレームのある特定のシンボル期間に送信され得、チャネル推定、チャネル品質測定、および／または他の機能を実施するためにＵＥによって使用され得る。ｅＮＢはまた、ある特定の無線フレームのスロット１におけるシンボル期間０〜３において、物理ブロードキャストチャネル（ＰＢＣＨ）を送信し得る。ＰＢＣＨは、いくらかのシステム情報を搬送し得る。ｅＮＢは、ある特定のサブフレームにおいて物理ダウンリンク共有チャネル（ＰＤＳＣＨ）上でシステム情報ブロック（ＳＩＢ）のような他のシステム情報を送信し得る。ｅＮＢは、サブフレームの最初のＢ個のシンボル期間において物理ダウンリンク制御チャネル（ＰＤＣＣＨ）上で制御情報／データを送信し得、ここでＢは、サブフレームごとに設定可能（configurable）であり得る。ｅＮＢは、各サブフレームの残りのシンボル期間においてＰＤＳＣＨ上でトラフィックデータおよび／または他のデータを送信し得る。
【００３１】
[0041]  ＬＴＥにおけるＰＳＳ、ＳＳＳ、ＣＲＳ、およびＰＢＣＨは、「Evolved Universal Terrestrial Radio Access (E-UTRA); Physical Channels and Modulation」と題された３ＧＰＰ  ＴＳ３６．２１１に説明されており、これは公に利用可能である。
【００３２】
[0042]  図４は、通常のサイクリックプリフィックスを伴うダウンリンクのための２つの例示的なサブフレームフォーマット４１０および４２０を示す。ダウンリンクのための利用可能な時間周波数リソースは、複数のリソースブロックに区分され得る。各リソースブロックは、１つのスロットにおいて１２個のサブキャリアをカバーし得、いくつかのリソース要素を含み得る。各リソース要素は、１つのシンボル期間において１つのサブキャリアをカバーし得、そして１つの変調シンボルを送るために使用され得、それは実数または複素数値（a real or complex value）であり得る。
【００３３】
[0043]  サブフレームフォーマット４１０は、２つのアンテナを装備するｅＮＢのために使用され得る。ＣＲＳは、シンボル期間０、４、７、および１１において、アンテナ０および１から送信され得る。基準信号は、送信機および受信機によってアプリオリに知られている信号であり、パイロットとも呼ばれ得る。ＣＲＳは、例えばセルアイデンティティ（ＩＤ）に基づいて生成される、セルに固有の基準信号である。図４では、Ｒａとラベルを付された所与のリソース要素について、アンテナａからそのリソース要素上で変調シンボルが送信され得、そのリソース要素上では他のアンテナからはいずれの変調シンボルも送信されない可能性がある。サブフレームフォーマット４２０は、４つのアンテナを装備するｅＮＢのために使用され得る。ＣＲＳは、シンボル期間０、４、７、および１１においてはアンテナ０および１から、また、シンボル期間１および８においてはアンテナ２および３から、送信され得る。サブフレームフォーマット４１０および４２０の両方について、ＣＲＳは、均等に間隔が空けられたサブキャリア上で送信され得、それは、セルＩＤに基づいて決定され得る。異なるｅＮＢは、それらのＣＲＳを、それらのセルＩＤに応じて、同じまたは異なるサブキャリア上で送信し得る。サブフレームフォーマット４１０および４２０の両方について、ＣＲＳのために使用されないリソース要素は、データ（例えば、トラフィックデータ、制御データ、および／または他のデータ）を送信するために使用され得る。
【００３４】
[0044]  インタレース構造が、ＬＴＥにおいてＦＤＤのために、ダウンリンクおよびアップリンクの各々について使用され得る。例えば、０〜Ｑ−１のインデックスを有するＱ個のインタレースが定義され得、ここでＱは、４、６、８、１０または何らかの他の値に等しい可能性がある。各インタレースは、Ｑ個のフレーム分間隔を隔てられた複数のサブフレームを含み得る。具体的には、インタレースｑは、サブフレームｑ、ｑ＋Ｑ、ｑ＋２Ｑ等を含み得、ここで、ｑ∈｛０，．．．，Ｑ−１｝である。
【００３５】
[0045]  ワイヤレスネットワークは、ダウンリンクおよびアップリンク上でのデータ送信のためにハイブリッド自動再送要求（ＨＡＲＱ）をサポートし得る。ＨＡＲＱについては、送信機（例えば、ｅＮＢ１１０）は、パケットが受信機（例えば、ＵＥ１２０）によって正確に復号されるまで、または何らかの他の終了条件が生じるまで、パケットの１つまたは複数の送信を送り得る。同期ＨＡＲＱについては、パケットのすべての送信が、単一のインタレースのサブフレームにおいて送られ得る。非同期ＨＡＲＱについては、パケットの各送信は、いずれのサブフレームにおいても送られ得る。
【００３６】
[0046]  ＵＥは、複数のｅＮＢのカバレッジ内に位置し得る。これらのｅＮＢのうちの１つが、ＵＥにサービス提供するために選択され得る。サービングｅＮＢは、受信信号強度、受信信号品質、経路損失等のような様々な基準に基づいて選択され得る。受信された信号品質は、信号対干渉雑音比（ＳＩＮＲ（signal-to-interference-plus-noise ratio））または基準信号受信品質（ＲＳＲＱ（reference signal received quality））、あるいは何らかの他の測定基準（metric）によって定量化され得る。ＵＥは、１つまたは複数の干渉しているｅＮＢからの高い干渉をＵＥが観測し得る支配的な干渉シナリオで動作し得る。
【００３７】
[0047]  上述したように、ワイヤレス通信ネットワーク（例えば、ワイヤレス通信ネットワーク１００）における１つまたは複数のＵＥは、ワイヤレス通信ネットワークにおける他の（非ＬＣ）デバイスに比べて限定された通信リソースを有する、ＬＣ  ＵＥのようなデバイスであり得る。
【００３８】
[0048]  いくつかのシステムでは、例えば、ＬＴＥ  Ｒｅｌ−１３では、ＬＣ  ＵＥは、利用可能なシステム帯域幅内の（例えば、６つ以下のリソースブロック（ＲＢ）の）特定のナローバンド割り当てに限定され得る。しかしながら、ＬＣ  ＵＥは、例えばＬＴＥシステム内で共存するために、ＬＴＥシステムの利用可能なシステム帯域幅内の異なるナローバンド領域に再同調（re-tune）（例えば、動作および／またはキャンプ）することが可能であり得る。
【００３９】
[0049]  ＬＴＥシステム内での共存の別の例として、ＬＣ  ＵＥは、レガシー物理ブロードキャストチャネル（ＰＢＣＨ）（例えば、一般に、セルへの最初のアクセスのために使用され得るパラメータを搬送するＬＴＥ物理チャネル）を（繰り返し）受信し、１つまたは複数のレガシー物理ランダムアクセスチャネル（ＰＲＡＣＨ）フォーマットをサポートすることが可能であり得る。例えば、ＬＣ  ＵＥは、レガシーＰＢＣＨを、複数のサブフレームにわたるＰＢＣＨの１つまたは複数の追加的な繰り返しを伴って受信することが可能であり得る。別の例として、ＬＣ  ＵＥは、ＬＴＥシステムにおけるｅＮＢに、（例えば、サポートされた１つまたは複数のＰＲＡＣＨフォーマットで）ＰＲＡＣＨの１つまたは複数の繰り返しを送信することが可能であり得る。ＰＲＡＣＨは、ＬＣ  ＵＥを識別するために使用され得る。また、繰り返されるＰＲＡＣＨ試みの数は、ｅＮＢによって設定（configured）され得る。
【００４０】
[0050]  ＬＣ  ＵＥはまた、リンクバジェット制限デバイス（a link budget limited device）であり得、それのリンクバジェット制限に基づいて（例えば、ＬＣ  ＵＥに送信されるまたはＬＣ  ＵＥから送信される異なる量の繰り返されるメッセージを伴う）異なる動作モードで動作し得る。例えば、一部のケースでは、ＬＣ  ＵＥは、そこにおいて繰り返しがほとんど無いか無い（例えば、ＵＥがメッセージを成功裏に受信および／または送信するために必要とされる繰り返しの量が少ない可能性があるか、または繰り返しが必要とされない可能性さえある）通常カバレッジモードで動作し得る。代替的に、一部のケースでは、ＬＣ  ＵＥは、そこにおいて大量の繰り返しがあり得るカバレッジエンハンスメント（ＣＥ）モードで動作し得る。一部のケースでは、ＵＥがカバレッジエンハンスメント（ＣＥ）モードにあるか否かについて決定がなされ得、その決定に基づいて、送信が調整され得る。例えば、３２８ビットのペイロードについて、ＣＥモードのＬＣ  ＵＥは、ペイロードを成功裏に受信するためにペイロードの１５０以上の繰り返しを必要とし得る。
【００４１】
[0051]  一部のケースでは、例えば、これまたＬＴＥ  Ｒｅｌ−１３について、ＬＣ  ＵＥは、ブロードキャストおよびユニキャスト送信のそれの受信に関して制限された能力を有し得る。例えば、ＬＣ  ＵＥによって受信されるブロードキャスト送信のための最大トランスポートブロック（ＴＢ）サイズは、１０００ビットに制限され得る。さらに、一部のケースでは、ＬＣ  ＵＥは、１つのサブフレームにおいて２つ以上のユニキャストＴＢを受信することができない可能性がある。一部のケースでは（例えば、上述したＣＥモードと通常モードとの両方について）、ＬＣ  ＵＥは、１つのサブフレームにおいて２つ以上のブロードキャストＴＢを受信することができない可能性がある。さらに、一部のケースでは、ＬＣ  ＵＥは、１つのサブフレームにおいてユニキャストＴＢとブロードキャストＴＢとの両方を受信することができない可能性がある。
【００４２】
[0052]  ＭＴＣについては、ＬＴＥシステムにおいて共存する複数のＬＣ  ＵＥはまた、ページング、ランダムアクセスプロシージャ等のようなある特定のプロシージャについて（例えば、これらのプロシージャのためにＬＴＥで使用される従来のメッセージとは対照的に）新しいメッセージをサポートし得る。言い換えれば、ページング、ランダムアクセスプロシージャ等のためのこれらの新しいメッセージは、非ＬＣ  ＵＥに関連する同様のプロシージャのために使用されるメッセージとは別個であり得る。例えば、ＬＴＥで使用される従来のページングメッセージに比べて、ＬＣ  ＵＥは、非ＬＣ  ＵＥがモニタおよび／または受信することができない可能性があるページングメッセージをモニタおよび／または受信することが可能であり得る。同様に、従来のランダムアクセスプロシージャで使用される従来のランダムアクセス応答（ＲＡＲ）メッセージに比べて、ＬＣ  ＵＥは、非ＬＣ  ＵＥによってこれまた受信されることができない可能性があるＲＡＲメッセージを受信することが可能であり得る。ＬＣ  ＵＥに関連する新しいページングおよびＲＡＲメッセージはまた、１回以上繰り返され（例えば、「バンドリングされ」）得る。加えて、新しいメッセージについて異なる数の繰り返し（例えば、異なるバンドリングサイズ）がサポートされ得る。
【００４３】
ワイドバンドシステム内での例示的なＭＴＣ共存
[0053]  上述したように、ＭＴＣおよび／またはｅＭＴＣ動作は、（例えば、ＬＴＥまたは何らかの他のＲＡＴと共存して）ワイヤレス通信ネットワークにおいてサポートされ得る。図５Ａおよび図５Ｂは、例えば、ＭＴＣ動作中のＬＣ  ＵＥがＬＴＥのようなワイドバンドシステム内でどのように共存し得るかの例を例示する。
【００４４】
[0054]  図５Ａの例示的なフレーム構造に例示されるように、ＭＴＣおよび／またはｅＭＴＣ動作に関連するサブフレームは、ＬＴＥ（または何らかの他のＲＡＴ）に関連する標準のサブフレームと時分割多重化（ＴＤＭ）され得る。
【００４５】
[0055]  追加的に、または代替的に、図５Ｂの例示的なフレーム構造に例示されるように、ＭＴＣにおいてＬＣ  ＵＥによって使用される１つまたは複数のナローバンド領域は、ＬＴＥによってサポートされるより広い帯域幅内で周波数分割多重化され得る。各ナローバンド領域が合計６つのＲＢ以下の帯域幅におよぶ、複数のナローバンド領域が、ＭＴＣおよび／またはｅＭＴＣ動作のためにサポートされ得る。一部のケースでは、ＭＴＣ動作中の各ＬＣ  ＵＥは、一度に１つのナローバンド領域（例えば、１．４ＭＨｚまたは６つのＲＢ）内で動作し得る。しかしながら、ＭＴＣ動作中のＬＣ  ＵＥは、任意の所与の時間において、より広いシステム帯域幅における他のナローバンド領域に再同調し得る。いくつかの例では、複数のＬＣ  ＵＥが、同じナローバンド領域によってサービス提供され得る。他の例では、複数のＬＣ  ＵＥは、（例えば、各ナローバンド領域が６つのＲＢにおよぶ）異なる複数のナローバンド領域によってサービス提供され得る。さらに他の例では、ＬＣ  ＵＥの異なる組合せが、１つまたは複数の同じナローバンド領域および／または１つまたは複数の異なるナローバンド領域によってサービス提供され得る。
【００４６】
[0056]  ＬＣ  ＵＥは、様々な異なる動作のためにナローバンド領域内で動作（例えば、モニタ／受信／送信）し得る。例えば、図５Ｂに示されるように、サブフレームの（例えば、ワイドバンドデータの６つ以下のＲＢにおよぶ）第１のナローバンド領域が、ワイヤレス通信ネットワークにおけるＢＳからのページング送信またはＰＳＳ、ＳＳＳ、ＰＢＣＨ、ＭＴＣシグナリングのいずれかについて、１つまたは複数のＬＣ  ＵＥによってモニタされ得る。図５Ｂにまた示されるように、サブフレームの（例えば、これまたワイドバンドデータの６つ以下のＲＢおよぶ）第２のナローバンド領域が、ＢＳから受信されたシグナリングにおいて前に構成（configured）されたデータまたはＲＡＣＨを送信するために、ＬＣ  ＵＥによって使用され得る。一部のケースでは、第２のナローバンド領域は、第１のナローバンド領域を利用したのと同じＬＣ  ＵＥによって利用され得る（例えば、ＬＣ  ＵＥは、第１のナローバンド領域におけるモニタの後に送信するために第２のナローバンド領域に再同調した可能性がある）。一部のケースでは（示されていないが）、第２のナローバンド領域は、第１のナローバンド領域を利用したＬＣ  ＵＥとは異なるＬＣ  ＵＥによって利用され得る。
【００４７】
[0057]  ここに説明される例は６つのＲＢのナローバンドを想定しているが、ここに提示される技法は異なるサイズのナローバンド領域にも適用され得ることを、当業者は認識するだろう。
【００４８】
ｅＭＴＣ  ＵＥのための例示的なサブフレームの利用可能性
[0058]  上述したように、ＬＣ  ＭＴＣ  ＵＥはＬＴＥ  Ｒｅｌ−１２において導入された。追加的なエンハンスメントが、ＭＴＣ動作をサポートするためにＬＴＥリリース１３（Ｒｅｌ−１３）において成され得る。例えば、ＭＴＣ  ＵＥは、（例えば、１．４ＭＨｚ、３ＭＨｚ、５ＭＨｚ、１０ＭＨｚ、１５ＭＨｚ、２０ＭＨｚ等の）より広いシステム帯域幅内で１．４ＭＨｚまたは６つのＲＢのナローバンド領域において動作（例えば、モニタ、送信、および受信）することが可能であり得る。第２の例として、基地局およびＭＴＣ  ＵＥは、例えばバンドリング等のいくつかの技法によって１５ｄＢまでのカバレッジエンハンスメント（ＣＥ）をサポートし得る。カバレッジエンハンスメントはまた、カバレッジ拡張および範囲拡張（range extension）とも呼ばれ得る。
【００４９】
[0059]  ＬＴＥ  Ｒｅｌ−１３で成され得る他のエンハンスメントは、基地局が、ＭＴＣ  ＵＥをページングするためにナローバンドにおけるＭＴＣ物理ダウンリンク制御チャネル（ＭＰＤＣＣＨ）においてページング信号を送信すること含み得る。ＭＰＤＣＣＨは、複数のＭＴＣ  ＵＥに対するページング信号および１つまたは複数の他のＭＴＣ  ＵＥへのダウンリンク制御情報（ＤＣＩ）を伝達し得る。ＭＰＤＣＣＨは、上述したＰＤＣＣＨ／ＥＰＤＣＣＨに類似し得る。復調基準信号（ＤＭＲＳ）ベースの復調が、ＭＰＤＣＣＨを使用するときにサポートされ得る。つまり、ＭＰＤＣＣＨを送信するＢＳは、ＭＰＤＣＣＨでＤＭＲＳを送信し得る。ＭＰＤＣＣＨおよびＤＭＲＳを受信するＵＥは、ＤＭＲＳに基づいて、ＭＰＤＣＣＨを復調し得る。
【００５０】
[0060]  カバレッジエンハンスメント（例えば、１５ｄＢ  ＣＥ）を達成するために、複数の送信が、例えば複数のサブフレームにわたって何度もバンドリングされ（繰り返され）得る。図７は、（アップリンクまたはダウンリンクのための）バンドル（繰り返し）サイズ６でのバンドリングの例７１０を例示する。しかしながら、バンドリングを実施するときの１つの課題は、すべてのサブフレームが繰り返しのために利用可能であるわけではないことである。例えば、ＴＤＤサブフレーム構成は、ある特定のサブフレームをＤＬと示し得、それはバンドリングされたＵＬ送信のためにそれらが利用可能でないことを意味する、または、ある特定のサブフレームをＵＬと示し得、それはバンドリングされたＤＬ送信のためにそれらが利用可能でないことを意味する。加えて、ある特定のサブフレームは、（例えば、ＵＥが同調を外す（tune-away）および他の周波数に対して測定を行うための）測定ギャップとして使用するために、あるいはマルチキャストブロードキャスト単一周波数ネットワーク（ＭＢＳＦＮ）またはエンハンストＭＢＳＦＮ（ｅＭＢＳＦＮ）のような他の目的のために、指定され得る。
【００５１】
[0061]  いずれの場合も、本開示の態様は、ある特定のサブフレームがアップリンクおよび／またはダウンリンクのバンドリングされた送信のために利用可能でない可能性がある、という事実に対処するための技法を提供する。
【００５２】
[0062]  図６は、ＭＴＣ  ＵＥのようなＵＥ（例えば、図１におけるＵＥ１２０ａ）によって実施され得るワイヤレス通信のための例示的な動作６００を例示する。
【００５３】
[0063]  動作６００は、ブロック６０２において、ＵＥが少なくとも１つの無線フレーム内で、複数のサブフレームにわたってバンドリングされた送信のために利用不可能な１つまたは複数のサブフレームを識別することで始まる。６０４において、ＵＥは、識別に基づいて、複数のサブフレームにわたってバンドリングされた送信を使用して、より広いシステム帯域幅内の少なくとも１つのナローバンド領域を介して通信する。ここに説明されるように、通信することは、利用不可能なサブフレームの分類に基づいて調整され得る（分類の技法がここに説明される）。一部のケースでは、通信することは、第２のグループの１つまたは複数の利用不可能なサブフレーム上で生じるであろうバンドリングされた送信を、１つまたは複数の後に生じる（後続の）サブフレームにスキップするように、または、バンドリングされた送信を、それらが第１のグループの１つまたは複数の利用不可能なサブフレーム上で生じるようにスケジュールされている場合、延期し、および延期されたバンドリングされた送信を、１つまたは複数の後に生じるサブフレームにスケジュールするように、調整され得る。
【００５４】
[0064]  ＵＥが、そうでなければバンドリングされた送信のためにスケジュールされるであろうある特定のサブフレームの利用不可能性を前提として、バンドリングされた送信を具体的にどのように実施するかについては、様々なオプションが存在する。例えば、再度図７を参照すると、利用不可能なサブフレームは、例７２０に示されるように延期され得、ここで利用不可能なサブフレームＳＦ１およびＳＦ２上で送信されたであろう送信は、ＳＦ６およびＳＦ７に延期される。別の例として、サブフレームは、例７３０に示されるように、スキップされ得、ここで利用不可能なサブフレームＳＦ１およびＳＦ２上で送信されたであろう送信は完全にスキップされる（skipped altogether）。
【００５５】
[0065]  一部のケースでは、利用不可能なサブフレームがどのように扱われるかは、それらが利用不可能である理由に依存し得る。例えば、利用可能でないサブフレームは、２つのグループに分類され得る。第１のグループ（グループ１）は、（例えば、ＭＢＳＦＮまたはＴＤＤに起因して）いずれのｅＭＴＣ  ＵＥに対しても利用可能でないサブフレームを含み得る。グループ１のサブフレームは、通常はブロードキャスト送信（例えば、ＳＩＢ）においてシグナリングされる。第２のグループ（グループ２）は、（例えば、測定ギャップとの衝突が原因で）特定のＵＥに対して利用可能でないサブフレームを含み得る。グループ２のサブフレームは、通常はＵＥごとにシグナリングされる（例えば、ＲＲＣ）。バンドリングサイズ１０の例を示す図８に例示されるように、グループ１のサブフレームは延期され得、一方でグループ２におけるサブフレームはスキップされ得る（結果として１０未満の効果的なバンドリングサイズがもたらされる）。
【００５６】
[0066]  一部のケースでは、ＴＤＤサブフレーム構成は、例えば、エンハンスト干渉緩和およびトラフィック適応（ｅＩＭＴＡ：enhanced Interference Mitigation and Traffic Adaptation）スキームに基づいて、動的に更新され得る。これは、バンドリングされた送信のためのサブフレームの利用可能性を決定しようとするｅＭＴＣ  ＵＥに対して課題を提示し得る。動的なＴＤＤ構成は、典型的にＰＤＣＣＨ共通探索空間においてシグナリングされる。
【００５７】
[0067]  残念ながら、ｅＭＴＣ  ＵＥは、ナローバンドであることまたはカバレッジエンハンスメントにあることが原因でＴＤＤ構成の変更をトラックできない可能性がある。さらに、ｅＭＴＣ  ＵＥにｅＩＭＴＡ構成をシグナリングすることは、コストが高い（costly）（多くのナローバンドにおいて繰り返す）か、または可能でない（Ｍ−ＰＤＣＣＨのためのバンドルサイズ（bundle size）がｅＩＭＴＡ更新期間よりも長い）可能性がある。デフォルトのＴＤＤ構成を使用することは、一般に、バンドリングされたアップリンクおよびダウンリンク送信については機能しない可能性がある。例えば、図９に例示されるように、構成１と２との間でスイッチするｅＩＭＴＡを伴うセルにおいて、構成１を使用したＵＥによる（ＳＦ３およびＳＦ７上の）ＵＬのバンドリングされた送信（UL bundled transmissions）は、セルが構成２を使用する場合、（これまたＳＦ３およびＳＦ７上の）ＤＬ送信と衝突するだろう。別の例では、構成２を使用したＵＥによる（ＳＦ３およびＳＦ７上の）ＤＬのバンドリングされた送信（DL bundled transmissions）は、セルが構成１を使用する場合、（これまたＳＦ３およびＳＦ７上の）ＵＬ送信と衝突するだろう。
【００５８】
[0068]  ｅＩＭＴＡ等において、ＳＦ構成を動的にシグナリングすることに対処するための１つのアプローチは、ＵＥを、アップリンクのためのいくつかのサブフレームとダウンリンクのためのいくつかのサブフレームで構成することである。図１０に例示されるように、シグナリングは、サブフレームの利用可能性を示すビットマップによって提供され得る。図１０の上部の図は、「レガシー」ｅＩＭＴＡ  ＵＥによって見られる実際のＵＬ／ＤＬサブフレーム構成を例示し、一方で下部の図は、ビットマップに基づいたバンドリングされた送信のためのＵＬ／ＤＬサブフレームの利用可能性を例示する。例えば、ｅＮＢがレガシーユーザのために予約することを望むサブフレームまたはＭＢＳＦＮサブフレーム等の、ＴＤＤに関係しないサブフレームの利用可能性についての情報を含むことも可能である。
【００５９】
[0069]  別のオプションは、ｅＭＴＣ  ＵＥを、アップリンクのための１つのＴＤＤサブフレーム構成とダウンリンクのための異なるＴＤＤサブフレーム構成で構成することである。例えば、ＵＥは、ダウンリンクのためには構成１を、アップリンクのためには構成２を使用し得る（そして効果的に衝突を避ける）。一部のケースでは、ＭＴＣ  ＵＥは、（例えば、ｅＭＴＣ  ＳＩＢ上で送信されなければならない可能性がある）レガシーＵＥと同じある特定のフィールドを再使用し得る。例えば、これらは、Ｕサブフレームのために使用されるＨＡＲＱ−ＲｅｆｅｒｅｎｃｅＣｏｎｆｉｇ（ｅＩＭＴＡ構成）またはＤＬサブフレームのために使用されるＳＩＢ１からのＴＤＤ構成を含み得る。
【００６０】
[0070]  一部のケースでは、ＬＴＥ  ｅＭＴＣアップリンクサブフレームが（明示的に）スケジュールされる場合、ＵＥは、単にダウンリンクグラントに従い得る。一部のケースでは、カバレッジエンハンスメントなしのＵＥ（バンドリングなしまたは小さなカバレッジエンハンスメントの）については、ＵＥは、アップリンクグラントに従う。例として、サブフレームＭについてグラントが受信される場合、するとＵＥは、ＴＤＤ（またはＨＡＲＱ−ＲｅｆｅｒｅｎｃｅＣｏｎｆｉｇ）構成に関係なくサブフレームＭにおいてアップリンクを送信し得る。
【００６１】
[0071]  カバレッジエンハンスメントにおけるＵＥについて、バンドリングは、アップリンクとダウンリンクとの両方について必要とされ得、よって利用可能なアップリンクサブフレームは、ＨＡＲＱ−ＲｅｆｅｒｅｎｃｅＣｏｎｆｉｇまたは同様のフィールドによって与えられ得る。一部のケースでは、現在の無線フレームについて、ＭＰＤＣＣＨがバンドリングされることは必要としないがバンドリングされたＰＵＳＣＨを必要とするＵＥについて、ＵＥは、スケジュールされたサブフレームに加えてＨＡＲＱ−ＲｅｆｅｒｅｎｃｅＣｏｎｆｉｇに示されたサブフレームを使用し得る。（例えば、バンドリングサイズが長い場合）他の無線フレームについて、ＵＥは、ＨＡＲＱ−ＲｅｆｅｒｅｎｃｅＣｏｎｆｉｇを介してバンドリングのために利用可能であると示されたサブフレームのみを使用し得る。このアプローチは、小さなアップリンクバンドルサイズ（例えば、２）について有益であり得る。一部のケースでは、ある特定の構成がブロードキャストされる場合（例えば、ｃｆｇ＃０）、ＵＥは、ブロードキャストされた（ＳＩＢ）構成を単に使用し得る。そうでなければ、ＵＥは、別の（基準）構成を使用し得る。
【００６２】
[0072]  図１１は、ＳＩＢブロードキャスト構成が構成３であり、一方ＨＡＲＱ−ＲｅｆｅｒｅｎｃｅＣｏｎｆｉｇが構成４である例を例示する。例示されたシナリオでは、それの利用可能性が知られていないサブフレーム（「？」とマーキングされたサブフレーム）についての（明示的な）グラントが受信される場合、ＵＥは、それはＵＬサブフレームであると見なし得、少なくともこの無線フレームについて、そのサブフレームをバンドリングされたＵＬ送信のために使用し得る。一方、図１２に例示される例では、サブフレームの利用可能性が知られていないとき、ＵＥは、明示的なグラントがなければこのサブフレームを避け得る。
【００６３】
[0073]  一部のケースでは、ＵＥは、（例えば、ｍＰＤＣＣＨおよびＰＤＳＣＨスケジュールドｍＰＤＣＣＨ、ブロードキャストＰＤＳＣＨｖｓ．ユニキャストＰＤＳＣＨ、またはｍＰＤＣＣＨベースのＰＤＳＣＨｖｓ．ｍＰＤＣＣＨなしのＰＤＳＣＨ（mPDCCH-less PDSCH）等の）異なるチャネルについて異なった方法でサブフレームの利用可能性を決定し得る。ユニキャストＰＤＳＣＨについての、可能性のある１つの例は、サブフレームの利用可能性が、限定された情報にも関わらずＤＣＩ自体に何らかの形で示され得ることである。例えば、ｅＮＢは、ｍＰＤＣＣＨ、ブロードキャストＰＤＳＣＨ、およびｍＰＤＣＣＨなしのＰＤＳＣＨに関する基準構成を構成し得る。ｅＮＢは、（例えば、カバレッジエンハンスメントなしのまたは低いカバレッジエンハンスメントのケースについて）ユニキャストｍＰＤＣＣＨベースのＰＤＳＣＨに関する基準構成を別個に構成し得る。例えば、２つの構成は、ＳＩＢ１においてシグナリングされ得、ＤＣＩにおけるビットが、これら２つの間でスイッチするために使用され得る。そのようなモードは、ＵＥごとにイネーブルされ得る（例えば、ＲＲＣ構成）。
【００６４】
[0074]  一部のケースでは、特別なサブフレーム構成が、レガシーＵＥおよびｅＭＴＣ  ＵＥに別個にシグナリングされ得る。例えば、サブフレーム構成情報を搬送するシステム情報（ＳＩ）のための更新期間は、ｅＭＴＣおよび標準のＵＥについて異なり得る。これはまた、そのＤＭＲＳ構成が両方のタイプのＵＥについて異なり得ることを暗示し得る。そのようなケースでは、特別なサブフレームについて、ＭＰＤＣＣＨ／ＰＤＣＣＨのために同じＲＢにおいてレガシーＵＥとＬＣ  ＵＥとを多重化することは、可能でないかもしれない。一部のケースでは、ＵＥは、ナローバンド領域を介して通信しないＵＥとは異なる周期性でサブフレーム構成に関するＳＩ更新を受信する。
【００６５】
[0075]  一部のケースでは、サブフレームの利用可能性は、異なる複信モードの展開についてシグナリングされ得る。例えば、図１３は、ＴＤＤおよびＦＤＤ展開におけるサブフレームの利用可能性のシグナリングを受信するためにＵＥによって実施され得る例示的な動作１３００を例示する。
【００６６】
[0076]  動作１３００は、１３０２において、通信リンクの複信モードを決定することによって始まる。１３０４において、ＵＥは、決定された複信モードについてのシステム情報を受信する。１３０６において、ＵＥは、少なくとも受信されたシステム情報に基づいて、アップリンクおよびダウンリンク送信のために利用可能なサブフレームを識別する。
【００６７】
[0077]  このサブフレームの利用可能性は、動的ＴＤＤ構成、オールモーストブランクサブフレーム（ＡＢＳ（almost blank subframe））構成、ＭＢＳＦＮ構成、またはより一般には、スケジュールの理由によってｅＮＢがｅＭＴＣに関して使用することを望まない任意のサブフレームのような様々なタイプのサブフレーム構成の説明となり得る（account for）。例えば、ＴＤＤモードでは、ｅＮＢは、サブフレームがアップリンクのために利用可能であるか、ダウンリンクのために利用可能であるか、またはいずれにも利用可能でないか、をシグナリングし得る。ＦＤＤでは、ｅＮＢは、サブフレームがアップリンクのために利用可能であるか、ダウンリンクのために利用可能であるか、両方のために利用可能であるか、またはいずれにも利用可能でないか、をシグナリングし得る。
【００６８】
[0078]  そのようなケースでは、シグナリングオーバヘッドを最小化するために、ＴＤＤおよびＦＤＤにおいて異なるシグナリングスキームを使用することが有益な可能性がある。例えば、ＦＤＤのためのサブフレームの利用可能性は、２つのビットマスクによって決定され得、ここで第１のビットマスクはダウンリンクのために利用可能なサブフレームをシグナリングし、第２のビットマスクは、アップリンクのために利用可能なサブフレームをシグナリングする。
【００６９】
[0079]  一方、ＴＤＤのためのサブフレームの利用可能性は、ＴＤＤ構成および（単一の）ビットマスクによって決定され得、ここで、ビットマスクはサブフレームが利用可能であるかどうかシグナリングし、ＴＤＤ構成は、サブフレームの方向（direction）をシグナリングする。サブフレームが利用可能でない（とマスクによって示される）場合、するとそのサブフレームは、アップリンクまたはダウンリンクのために利用不可能であり得る。サブフレームが利用可能である場合、するとそのサブフレームの方向がＴＤＤ構成によって与えられる。
【００７０】
[0080]  このシグナリングのタイプは、以下のＴＤＤ構成、
ＤＳＵＵＤＤＳＵＵＤ
およびサブフレームの利用可能性を示すための以下のビットマスク
１１０１１１１１１０
を有する例を考えることで明らかになり得る。  
このケースでは、利用可能なダウンリンクサブフレームは、ＳＦ９はマスクにおいてディセーブルされるので、
０、１、４、５、６（ＳＦ９は、マスクにおいてディセーブルされる）
であり、一方で利用可能なダウンリンクサブフレームは、ＳＦ２はマスクにおいてディセーブルされるので、
１、３、６、７、８
である。サブフレーム利用可能性ビットマスクは、特定の実施形態に応じて、異なる長さであり得る。例えば、ビットマスクは、（すべての無線フレームでシグナリングする）１０ビット、（４無線フレームごとにシグナリングする）４０ビット、または（例えば、サブフレーム０および５が常に利用可能であると仮定して、またはページングサブフレームが常に利用可能であると仮定して）減少されたサイズを有し得る。
【００７１】
[0081]  一部のケースでは、ＵＥは、１つまたは複数のサブフレームが矛盾した目的のために識別されたとき、措置を講じ得る。例えば、一部のケースでは、ＵＥは、周期的なＣＳＩ報告のために構成され得、それはある特定のサブフレームがＣＳＩを送信するためにアップリンクである必要があることを意味する。これらのサブフレームが代わりにダウンリンク送信のためにスケジュールされる場合には、ＵＥは、この矛盾（または衝突）を解決するために措置を講じる必要があり得る。一部のケースでは、ＵＥは、ＣＳＩを送信することを優先し得る。例えば、ＵＥは、チャネル状態情報（ＣＳＩ）の周期的な送信のためにスケジュールされたサブフレームのセットを決定し、および物理ダウンリンク共有チャネル（ＰＤＳＣＨ）送信のためにスケジュールされたサブフレームのセットを決定し得る。ＵＥは、周期的なＣＳＩの送信のためにスケジュールされたサブフレームのセットがＰＤＳＣＨ送信のためにスケジュールされたサブフレームのセットと少なくとも部分的にオーバーラップする場合、ＣＳＩの周期的な送信をドロップし得る（drop）。言い換えれば、ＰＤＳＣＨを受信することは、ＣＳＩの送信よりも優先され得る（結果的としてＣＳＩ送信をドロップすることがもたらされる）。
【００７２】
[0082]  一部のケースでは、ｅＮＢは、有効なダウンリンクサブフレームのインジケーションおよび異なるタイプのサブフレーム（例えば、ＭＢＳＦＮまたは特別なサブフレーム）のインジケーションをシグナリングし得る。これらのインジケーションに基づいて、ＵＥは、ダウンリンクサブフレームまたは異なるタイプのサブフレームのいずれかの有効性（validity）を決定し得る。
【００７３】
[0083]  図１４は、そのようなインジケーションに基づいて、異なるタイプのサブフレームの有効性を決定するためにＵＥによって実施され得る例示的な動作１４００を例示する。
【００７４】
[0084]  動作１４００は、１４０２において、有効なダウンリンク受信のためのサブフレームの第１のセットを決定することによって始まる。１４０４において、ＵＥは、サブフレームの第２のセットを決定し、１４０６において、ＵＥは、少なくともサブフレームの第１のセットおよびサブフレームの第２のセットに基づいて、有効なダウンリンク受信のためのサブフレームの第３のセットを決定する。１４０８において、ＵＥは、有効なダウンリンク受信のためのサブフレームの第３のセットにおいてダウンリンクチャネルを受信する。
【００７５】
[0085]  例として、サブフレームの第２のセットは、ＭＢＳＦＮサブフレームであり得る。一部のケースでは、ＵＥは、ＭＢＳＦＮサブフレーム構成で有効なダウンリンクサブフレーム構成をオーバーライドするように構成され得る。例えば、ＵＥは、特定のサブフレームが（例えば、ダウンリンクについて）有効であるがそれがまたＭＢＳＦＮとマーキングされていることのインジケーションを、受信し得る。このケースでは、ＵＥは、有効な（ダウンリンク）サブフレーム構成をオーバーライドし（override）、特定のサブフレームを無効（invalid）であると見なし得る。
【００７６】
[0086]  一部のケースでは、ＵＥは、ダウンリンクサブフレームの利用可能性を、送信モードまたはチャネルによって異なるように設定するように構成され得る。例えば、ｅＮＢは、そこにおいてＣＲＳが存在しない、いくつかのＭＢＳＦＮサブフレームを有効であるとして構成し得る。この場合には、ＵＥは、ＣＲＳ復調（例えば、送信モード１、２または６）でＰＤＳＣＨを受信することができない可能性があるが、ＤＭＲＳ復調（例えば、送信モード９）でＰＤＳＣＨを、および／またはＤＭＲＳ復調でＭＰＤＣＣＨを、受信することが可能であり得る。したがって、サブフレームの利用可能性は、送信モードおよび／またはチャネルの関数（function）であり得る。サブフレームが（例えば、ＭＢＳＦＮを用いたチャネル／送信モードの非互換性（non-compatibility）に起因して）利用可能でない場合、するとＵＥは、この特定のサブフレームにおける受信をスキップし、およびそれを合計の繰り返し数に数え得る。代替的に、ＵＥは、ＭＢＳＦＮサブフレームにおける繰り返しを延期し得る。
【００７７】
[0087]  同様に、いくつかの特別なサブフレームは、有効なダウンリンクサブフレームとして構成され得る。そのような場合には、いくつかの送信モードは、特別なサブフレームにおいては利用可能でない可能性がある。例えば、送信モード９は、拡張されたＣＰおよび５：５：２の特別なサブフレーム構成を有する特別なサブフレームにおいてはサポートされていない可能性がある。そのような場合には、ＵＥは、この特定のサブフレームにおける受信をスキップし、それを合計の繰り返し数に数え得る。代替的に、ＵＥは、特別なサブフレームにおける繰り返しを延期し得る。
【００７８】
[0088]  一部のケースでは、およびＴＤＤ展開において、バンドリングされたダウンリンク送信は、通常のサブフレームと特別なサブフレームとの両方を備え得る。いくつかのチャネルについて、リソースの利用可能性は、通常のサブフレームおよび特別なサブフレームにおいて異なり得る。例えば、レガシーＬＴＥに従って、ｅＭＴＣ（ＭＰＤＣＣＨ）通常サブフレームのためのダウンリンク制御チャネルは、ＲＢごとに４つのエンハンスト制御チャネル要素（ＥＣＣＥ：enhanced control channel element）を有し得、一方でいくつかの特別なサブフレームは、ＲＢごとに２つのＥＣＣＥを有し得る。このケースでは、ＭＰＤＣＣＨが特別なサブフレームにおいて繰り返される場合、いくつかのＥＣＣＥは、繰り返しのために利用可能でない可能性がある。例えば、通常のサブフレームは、ＥＣＣＥ｛０、１、２、３｝を有し得、および特別なサブフレームは、ＥＣＣＥ｛０、１｝を有し得、よってすべてのＥＣＣＥが繰り返されるわけではない可能性がある。
【００７９】
[0089]  一部のケースでは、いくつかのＥＣＣＥ（例えば、｛０，１，２，３｝）におよぶ候補ＭＰＤＣＣＨは、特別なサブフレームにおいては完全には繰り返されない可能性がある（例えば、繰り返しは｛０，１｝のみを使用することになる）。何らかの他の場合には、モニタするための２つの候補、例えば、ＥＣＣＥ｛０，１｝におよぶ候補１、およびＥＣＣＥ｛２，３｝におよぶ候補２、があり得る。したがって、この例では、候補１のみが特別なサブフレームにおいて繰り返され得、候補２は、特別なサブフレームにおいては繰り返されない可能性がある。このケースでは、ｅＮＢは、候補が繰り返される／送信されるか否かに関係なく、特別なサブフレームにおいてＤＭＲＳを送信し得る。
【００８０】
[0090]  代替的に、ＲＢごとのＥＣＣＥの数は、繰り返しの数に応じて定義され得る。例えば、ＵＥがＭＰＤＣＣＨの繰り返しなしで構成される場合、それは、ＲＢごとに２つのＥＣＣＥを有する特別なサブフレームにおいてＭＰＤＣＣＨを受信し得る。ＵＥがＭＰＤＣＣＨの繰り返しを伴って構成される場合、すると特別なサブフレームは、すべての候補が繰り返されることができるように、ＲＢごとに４つのＥＣＣＥを有し得る。何らかの他の場合には、ＵＥは、ＭＰＤＣＣＨの繰り返しを伴って構成されるとき、特別なサブフレームを無効として扱い得る。例えば、ＵＥが繰り返しを伴って送信されるＭＰＤＣＣＨをモニタしている場合、ＲＢごとに２つのＥＣＣＥを有する特別なサブフレームが、無効なサブフレームと見なされ得る。
【００８１】
[0091]  ここに説明されたように、本開示の態様は、ある特定のサブフレームがそのようなバンドリングされた送信のために利用不可能であるという事実に取り組むために、ｅＭＴＣ  ＵＥが、カバレッジエンハンスメントのためのバンドリングされた送信に頼ることを可能にし得る技法を提供する。
【００８２】
[0092]  上述したように、本開示の態様は、ある特定のサブフレームがアップリンクおよび／またはダウンリンクのバンドリングされた送信のために利用可能でない可能性があるという事実に対処するための技法を提供する。
【００８３】
[0093]  ここで使用される場合、項目のリスト「のうちの少なくとも１つ」に言及する表現は、単一の要素を含む、それらの項目のうちの任意の組合せに言及するものである。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同一の要素を有するいかなる組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃあるいはａ、ｂ、およびｃのその他のいずれの順序）もカバーするように意図される。
【００８４】
[0094]  ここでの開示に関連して説明されたアルゴリズムまたは方法のステップは、直接的にハードウェアにおいて、プロセッサによって実行されるソフトウェア／ファームウェアモジュールにおいて、またはそれらの２つの組合せにおいて、具現化され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、ＰＣＭ（phase change memory）、レジスタ、ハードディスク、リムーバブルディスク、ＣＤ−ＲＯＭ、または当該技術で既知の任意の他の形態の記憶媒体内に存在し得る。例示的な記憶媒体は、プロセッサが記憶媒体から情報を読み出すことができるように、および／または記憶媒体へ情報を書き込むことができるように、プロセッサに結合されている。別の方法では、記憶媒体はプロセッサに統合され得る。プロセッサおよび記憶媒体は、ＡＳＩＣに存在し得る。ＡＳＩＣは、ユーザ端末内に存在し得る。別の方法では、プロセッサおよび記憶媒体は、ユーザ端末内のディスクリートコンポーネントとして存在し得る。一般に、図に例示された動作が存在する場合、それらの動作は、同様の番号を有する、対応するカウンターパートのミーンズプラスファンクションコンポーネントを有し得る。
【００８５】
[0095]  １つまたは複数の例示的な設計において、説明された複数の機能は、ハードウェア、ソフトウェア／ファームウェア、またはそれらの組合せでインプリメントされ得る。ソフトウェア／ファームウェアでインプリメントされる場合、それら機能は、コンピュータ読み取り可能な媒体上の１つまたは複数の命令またはコードとして記憶または送信され得る。コンピュータ読み取り可能な媒体は、１つの場所から別の場所へのコンピュータプログラムの転送を容易にする任意の媒体を含む通信媒体、およびコンピュータ記憶媒体の両方を含む。記憶媒体は、汎用または専用コンピュータによってアクセスされることができる任意の利用可能な媒体であり得る。限定ではなく例として、そのようなコンピュータ読み取り可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは汎用または専用コンピュータ、もしくは汎用または専用プロセッサによってアクセスされることができ、かつ命令またはデータ構造の形態で所望のプログラムコード手段を搬送または記憶するために使用されることができる、任意の他の媒体を備えることができる。また、いかなる接続も、コンピュータ読み取り可能な媒体と適切に称される。例えば、ソフトウェア／ファームウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（disk）およびディスク（disc）は、コンパクトディスク（disc）（ＣＤ）、レーザーディスク（登録商標）（disc）、光ディスク（disc）、デジタル多目的ディスク（disc）（ＤＶＤ）、フロッピー（登録商標）ディスク（disk）およびBlu-ray（登録商標）ディスク（disc）を含み、ここで、ディスク（disks）は、通常磁気的にデータを再生し、一方ディスク（discs）は、レーザーを用いて光学的にデータを再生する。上記の組合せもまた、コンピュータ読み取り可能な媒体の範囲内に含まれるべきである。
【００８６】
[0096]  本開示の先の説明は、当業者が本開示を製造または使用することを可能にするために提供されている。本開示への様々な修正は、当業者にとって容易に明らかとなり、ここに定義された一般的な原理は、本開示の範囲または精神から逸脱することなく、他のバリエーションに適用され得る。したがって、本開示は、ここに説明された例および設計に限定されるようには意図されておらず、ここに開示された原理および新規な特徴と一致する最も広い範囲を与えられるべきである。
以下に本願の出願当初の特許請求の範囲に記載された発明を付記する。
［Ｃ１］  ユーザ装置（ＵＥ）によるワイヤレス通信のための方法であって、
少なくとも１つの無線フレーム内で、複数のサブフレームにわたってバンドリングされた送信のために利用不可能な１つまたは複数のサブフレームを識別することと、
前記識別に基づいて、複数のサブフレームにわたってバンドリングされた送信を使用して、より広いシステム帯域幅内の少なくとも１つのナローバンド領域を介して通信することと、
を備える、方法。
［Ｃ２］  前記識別することは、利用不可能なサブフレームを少なくとも第１のグループおよび第２のグループに分類することを備え、
前記通信することは、利用不可能なサブフレームの分類に基づいて調整される、
Ｃ１に記載の方法。
［Ｃ３］  前記通信することは、
前記第２のグループの１つまたは複数の利用不可能なサブフレーム上で生じるであろうバンドリングされた送信を１つまたは複数の後に生じるサブフレームにスキップする、または、
バンドリングされた送信を、それらが前記第１のグループの１つまたは複数の利用不可能なサブフレーム上で生じるようにスケジュールされている場合、延期し、および前記延期されたバンドリングされた送信を、１つまたは複数の後に生じるサブフレームにスケジュールする、
ように調整される、Ｃ２に記載の方法。
［Ｃ４］  前記第１のグループは、前記ナローバンド領域を使用して通信するいずれのＵＥに対するバンドリングされた送信のためにも利用可能でないと決定されたサブフレームを備え、
前記第２のグループは、１つまたは複数の特定のＵＥに対するバンドリングされた送信のために利用可能でないと決定されたサブフレームを備える、
Ｃ３に記載の方法。
［Ｃ５］  前記識別は、動的にスケジュールされたサブフレーム構成に少なくとも部分的に基づく、Ｃ１に記載の方法。
［Ｃ６］  バンドリングされたアップリンク送信のためのサブフレームの利用可能性またはバンドリングされたダウンリンク送信のためのサブフレームの利用可能性のうちの少なくとも１つを示すシグナリングを受信することをさらに備える、Ｃ５に記載の方法。
［Ｃ７］  前記シグナリングは、１つまたは複数のビットマップによって提供される、Ｃ６に記載の方法。
［Ｃ８］  前記シグナリングは、
バンドリングされたダウンリンク送信のためのサブフレームの利用可能性を決定するための第１のサブフレーム構成、および、
バンドリングされたアップリンク送信のためのサブフレームの利用可能性を決定するための第２のサブフレーム構成、
によって提供される、Ｃ６に記載の方法。
［Ｃ９］  前記ＵＥがカバレッジエンハンスメント（ＣＥ）モードにあるか否かを決定することと、
前記決定に基づいて、後続のサブフレームを使用して送信することと、
をさらに備える、Ｃ８に記載の方法。
［Ｃ１０］  後続のサブフレームがアップリンク送信のために利用可能であることを示すグラントを受信することと、
少なくとも現在の無線フレームについて、前記後続のサブフレーム、および前記第２のサブフレーム構成に基づいて利用可能であると示されたサブフレームを使用して送信することと、
をさらに備える、Ｃ８に記載の方法。
［Ｃ１１］  前記識別は、バンドリングされた送信の対象となるチャネルのタイプに少なくとも部分的に基づく、Ｃ１に記載の方法。
［Ｃ１２］  前記識別は、１つまたは複数のチャネルタイプの第１のセットのための第１の基準サブフレーム構成に基づき、
前記識別は、１つまたは複数のチャネルタイプの第２のセットのための第２の基準サブフレーム構成に基づく、
Ｃ１１に記載の方法。
［Ｃ１３］  前記ＵＥは、前記ナローバンド領域を介して通信しないＵＥとは異なる周期性でサブフレーム構成に関するシステム情報（ＳＩ）更新を受信する、Ｃ１に記載の方法。
［Ｃ１４］  ユーザ装置（ＵＥ）によるワイヤレス通信のための方法であって、
通信リンクの複信モードを決定することと、
前記決定された複信モードについてのシステム情報を受信することと、
少なくとも前記受信されたシステム情報に基づいて、アップリンクおよびダウンリンク送信のために利用可能なサブフレームを識別することと、
を備える、方法。
［Ｃ１５］  チャネル状態情報（ＣＳＩ）の周期的な送信のためにスケジュールされた前記識別されたサブフレームのセットを決定することと、
物理ダウンリンク共有チャネル（ＰＤＳＣＨ）送信のためにスケジュールされた前記識別されたサブフレームのセットを決定することと、
周期的なＣＳＩの送信のためにスケジュールされた識別されたサブフレームの前記セットが、ＰＤＳＣＨ送信のためにスケジュールされた識別されたサブフレームの前記セットと少なくとも部分的にオーバーラップする場合、ＣＳＩの周期的な送信をドロップすることと、
をさらに備える、Ｃ１４に記載の方法。
［Ｃ１６］  後続のサブフレームがアップリンク送信のために利用可能であることを示すグラントを受信することと、
少なくとも前記受信されたシステム情報に基づいて、アップリンクおよびダウンリンク送信のために利用可能であると識別された前記サブフレームに関係なく、前記後続のサブフレームを使用して送信することと、
をさらに備える、Ｃ１４に記載の方法。
［Ｃ１７］  時分割複信（ＴＤＤ）モードについての前記システム情報は、ＴＤＤ構成、およびサブフレームの利用可能性をシグナリングするマスク、を備え、
周波数分割複信（ＦＤＤ）モードについての前記システム情報は、ダウンリンクのためのサブフレームの利用可能性およびアップリンクのためのサブフレームの利用可能性をシグナリングするマスクを備える、
Ｃ１４に記載の方法。
［Ｃ１８］  前記アップリンクおよびダウンリンク送信のうちの少なくとも１つは、より広いシステム帯域幅内の少なくとも１つのナローバンド領域を使用するバンドリングされた送信を備える、Ｃ１４に記載の方法。
［Ｃ１９］  ユーザ装置（ＵＥ）によるワイヤレス通信のための方法であって、
有効なダウンリンク受信のためのサブフレームの第１のセットを決定することと、
サブフレームの第２のセットを決定することと、
少なくともサブフレームの前記第１のセットおよびサブフレームの前記第２のセットに基づいて、有効なダウンリンク受信のためのサブフレームの第３のセットを決定することと、
有効なダウンリンク受信のためのサブフレームの前記第３のセットにおいてダウンリンクチャネルを受信することと、
を備える、方法。
［Ｃ２０］  サブフレームの前記第２のセットは、ＭＢＳＦＮサブフレームを備える、Ｃ１９に記載の方法。
［Ｃ２１］  サブフレームの前記第２のセットは、特別なサブフレームを備える、Ｃ１９に記載の方法。
［Ｃ２２］  有効なダウンリンク受信のためのサブフレームの前記第３のセットを決定することは、有効なダウンリンク受信のためのサブフレームの前記第１のセットに含まれかつサブフレームの前記第２のセットに含まれないサブフレームを決定することを備える、Ｃ１９に記載の方法。
［Ｃ２３］  ダウンリンクチャネルまたは送信モードのうちの少なくとも１つを決定することをさらに備え、ここにおいて、有効なダウンリンクのためのサブフレームの第２のセットを前記決定することは、少なくとも前記ダウンリンクチャネルおよび／または送信モードに基づく、Ｃ１９に記載の方法。
［Ｃ２４］  ダウンリンク制御チャネルのためのバンドルサイズを決定することをさらに備え、ここにおいて、有効なダウンリンクのためのサブフレームの第２のセットを前記決定することは、少なくともダウンリンク制御チャネルのための前記バンドルサイズに基づく、Ｃ１９に記載の方法。
［Ｃ２５］  ワイヤレス通信のための装置であって、
少なくとも１つの無線フレーム内で、複数のサブフレームにわたってバンドリングされた送信のために利用不可能な１つまたは複数のサブフレームを識別するように構成される少なくとも１つのプロセッサと、
前記識別に基づいて、複数のサブフレームにわたってバンドリングされた送信を使用して、より広いシステム帯域幅内の少なくとも１つのナローバンド領域を介して通信するように構成されるインタフェースと、
を備える、装置。
［Ｃ２６］  ワイヤレス通信のための装置であって、
通信リンクの決定された複信モードについてのシステム情報を受信するように構成されるインタフェースと、
少なくとも前記受信されたシステム情報に基づいて、アップリンクおよびダウンリンク送信のために利用可能なサブフレームを識別するように構成される少なくとも１つのプロセッサと、
を備える、装置。
［Ｃ２７］  ワイヤレス通信のための装置であって、
有効なダウンリンク受信のためのサブフレームの第１のセットを決定することと、サブフレームの第２のセットを決定することと、少なくともサブフレームの前記第１のセットおよびサブフレームの前記第２のセットに基づいて、有効なダウンリンク受信のためのサブフレームの第３のセットを決定することと、を行うように構成される少なくとも１つのプロセッサと、
有効なダウンリンク受信のためのサブフレームの前記第３のセットにおいてダウンリンクチャネルを受信するように構成されるインタフェースと、
を備える、装置。
【図１】
0006700375.tif 000002
【図２】
0006700375.tif 000003
【図３】
0006700375.tif 000004
【図４】
0006700375.tif 000005
【図５Ａ】
0006700375.tif 000006
【図５Ｂ】
0006700375.tif 000007
【図６】
0006700375.tif 000008
【図７】
0006700375.tif 000009
【図８】
0006700375.tif 000010
【図９】
0006700375.tif 000011
【図１０】
0006700375.tif 000012
【図１１】
0006700375.tif 000013
【図１２】
0006700375.tif 000014
【図１３】
0006700375.tif 000015
【図１４】
0006700375.tif 000016